(57)【要約】      （修正有）【課題】遮蔽部の展開過程で障害物があった場合、遮蔽部の展開動作を自動的に中止できる窓用遮蔽物を提供する。【解決手段】固定梁、遮蔽部、昇降コード及び巻線機構を含む窓用遮蔽物であって、遮蔽部は固定梁の下方に設置され、巻線機構は巻線筒５４、回転部品５２及びストッパー５８を含み、巻線筒は昇降コードを巻き取り又は巻き出すものであり、遮蔽部が固定梁の方向へ上に収納され、又は固定梁から下へ展開され、回転部品５２が巻線筒５４の中に穿設され、ストッパー５８が操作によって回転部品に対し軸性揺動する。回転部品が巻線筒に対し単独に回転する時に、ストッパーが動かされて軸性揺動し、回転部品の表面から外へ突出し、かつ固定梁に接続された台座６Ａの阻止部６２２に当止されて、回転部品の回転を停止させる。【選択図】図４
0003218206.tif 000002
【実用新案登録請求の範囲】
【請求項１】
窓用遮蔽物であって、
前記窓用遮蔽物は固定梁、遮蔽部、昇降コード及び巻線機構を含み、前記遮蔽部が前記固定梁の下方に設置され、前記巻線機構が回転部品と前記固定梁の中に設置された巻線筒とを含み、
前記昇降コードの一端が前記遮蔽部の底端に固定され、他端が前記遮蔽部及び前記固定梁を経由して前記巻線筒に接続され、前記巻線筒が駆動回転されると前記昇降コードが巻き取り又は巻き出され、これにより前記遮蔽部が前記固定梁の方向へ上に収納され、又は前記固定梁から下に展開され、
前記回転部品は前記巻線筒に穿設され、かつ前記回転部品は選択により前記巻線筒に対し単独に回転し、又は前記巻線筒と同時に同方向に回転することができ、
前記巻線機構はさらにストッパーを含み、前記ストッパーが操作により前記回転部品に対し軸性揺動することができ、
阻止部は前記固定梁の中に設置され、かつ前記固定梁に対し動かず、
前記回転部品が前記巻線筒に対し単独に回転する時に、前記ストッパーが動かされて軸性揺動し、前記回転部品の表面から外へ突出し、かつ前記阻止部に当止されて、前記回転部品の回転を停止することを特徴とする窓用遮蔽物。
【請求項２】
前記回転部品は回転座を含み、前記ストッパーが係止爪を含み、前記係止爪の一端が軸接部であり、前記軸接部が前記回転座に軸接され、前記係止爪の他端に当接部が形成され、
前記回転座が動かされて前記巻線筒に対し単独に回転する時に、前記係止爪が前記回転座に動かされ、かつ前記係止爪の前記軸接部を中心に軸性揺動して、前記係止爪の前記当接部が動かされて前記回転座から外へ前記回転座の表面に突出し、前記当接部が前記阻止部に当止され、前記回転座の回転を停止する、請求項１に記載の窓用遮蔽物。
【請求項３】
前記巻線筒は軸孔及び開口を有し、前記軸孔が前記巻線筒の内部に形成され、前記開口が前記巻線筒の表面に設置され、
前記開口は前記軸孔に連通し、かつ前記係止爪に対応して配置され、
前記回転座は前記軸孔に穿入し、かつ前記係止爪が前記回転座によって前記回転座に対し軸性揺動し、選択により前記開口に入り込み、又は前記開口から突出する、請求項２に記載の窓用遮蔽物。
【請求項４】
前記回転座は盤体を含み、前記係止爪の前記軸接部が前記盤体に軸接され、前記盤体が前記巻線筒の前記軸孔の中に延び込み、前記係止爪の前記当接部が前記巻線筒の前記開口の中に位置する、請求項３に記載の窓用遮蔽物。
【請求項５】
前記巻線筒の前記開口が前記回転座の表面に隣接し、
前記回転部品と前記巻線筒が同時に同方向へ回転する時に、前記係止爪が前記開口に入り込み、かつ前記係止爪の前記当接部が前記回転座の表面に密接し、
前記回転部品が前記巻線筒に対し単独に回転し、かつ前記係止爪が前記回転座に動かされて前記開口に面した時に、前記係止爪が軸性揺動するとともに前記開口に導引され、前記当接部が前記回転座の表面から外へ突出し、かつ前記巻線筒の前記開口によって前記巻線筒の表面に突出し、前記阻止部に当止されて、前記回転座の回転を停止する、請求項３に記載の窓用遮蔽物。
【請求項６】
前記巻線筒は半径方向に脇口を有し、前記脇口の一方の側面が当止面であり、前記脇口が前記軸孔に連通し、前記回転座が突出ブロックを有し、前記突出ブロックが前記脇口の中に位置し、かつ前記突出ブロックの幅が前記脇口の幅より小さく、
前記突出ブロックが前記脇口の前記当止面に当止されて、前記回転座と前記巻線筒が同時に同方向へ回転する、請求項３に記載の窓用遮蔽物。
【請求項７】
前記脇口の前記当止面に対向する他方の側面は制限面であり、
前記回転座が動かされて前記巻線筒に対し単独に回転する時に、前記突出ブロックが前記脇口の中に前記当止面側から前記制限面側まで移動し、前記係止爪が前記回転座に動かされて軸性揺動する幅を制限する、請求項６に記載の窓用遮蔽物。
【請求項８】
前記回転座はその半径方向に沿って凹設された結合溝を有し、前記係止爪の前記軸接部が回転可能に前記結合溝に収容され、
前記係止爪の前記軸接部が前記結合溝に対し単独に回転する時に、前記係止爪が前記軸接部を中心に軸性揺動し、前記係止爪の前記当接部が動かされて前記回転座の表面から外へ突出する、請求項２に記載の窓用遮蔽物。
【請求項９】
前記回転部品はさらに回転軸を含み、前記回転座が前記回転軸に固定され、前記回転軸に動かされて回転する、請求項２に記載の窓用遮蔽物。
【請求項１０】
前記窓用遮蔽物は前記固定梁内に固定された少なくとも一つの台座を有し、前記巻線筒が回転可能に前記台座上を跨いで設置され、
前記阻止部は前記台座が有する突出した阻止ブロックによって形成される、請求項１に記載の窓用遮蔽物。
【考案の詳細な説明】
【技術分野】
【０００１】
本考案は垂直昇降式窓用遮蔽物に関し、特に、展開過程で障害が発生した時に展開動作を自動的に中止できる窓用遮蔽物に関する。
【背景技術】
【０００２】
垂直昇降式窓用遮蔽物の構成は基本的に固定梁、固定梁の下方に配置された遮蔽部及び昇降コードを含む。昇降コードは、一端が遮蔽部を通った後遮蔽部の底端に固定され、他端が固定梁中に設置された巻線機構によって巻き取られ又は巻き出されることで、遮蔽部を収納し、又は遮蔽部を展開させて、遮蔽範囲を変更する。なお、遮蔽部は巻線筒が巻線機構の回転軸に動かされて回転することによって巻き取られ、又は遮蔽部の重さによって巻線筒が回転することで、遮蔽部を固定梁の方向に上へ収納し、又は固定梁から下へ展開させる目的を達成する。
【０００３】
しかし、遮蔽部が下へ展開される途中に障害物がある場合、遮蔽部の下端が障害物に接触した後、遮蔽部の下端が障害物に妨害されて傾斜し、ここで遮蔽部の展開動作を直ちに中止できなかったら、遮蔽部の妨害を受けていない側が展開し続けて、遮蔽部の下端の傾斜角度がさらに広がることになる。同時に、巻線筒は展開し続ける遮蔽部の重さに駆動されて回転し続け、かつ昇降コードを送り出し続けるため、固定梁内に位置する昇降コードが乱れ、かつ、障害を排除した後に昇降コードを巻き直すにも不利であり、さらに、昇降コードが絡み合い、以降の窓用遮蔽物全体の昇降制御を影響することすらある。
【考案の概要】
【考案が解決しようとする課題】
【０００４】
以上に鑑み、本考案の目的は遮蔽部の展開過程で障害物があった場合、遮蔽部の展開動作を自動的に中止できる窓用遮蔽物を提供することである。
【課題を解決するための手段】
【０００５】
前記目的を達成するために、本考案が提供する窓用遮蔽物は固定梁、遮蔽部、昇降コード及び巻線機構を含み、遮蔽部が固定梁の下方に設置され、巻線機構が回転部品と巻線筒を含む。なお、昇降コードは遮蔽部を通って巻線筒に接続され、巻線筒が駆動回転されて、昇降コードを巻き取り又は巻き出すと、遮蔽部が動かされて固定梁の方向に上へ収納され、又は固定梁から下へ展開される。回転部品は前記巻線筒に穿設され、かつ、回転部品は選択によって巻線筒に対し単独に回転し、又は巻線筒と同時に同方向に回転することができる。巻線機構はさらにストッパーを含み、ストッパーが操作によって回転部品に対し軸性揺動することができる。阻止部は固定梁の中に設置され、かつ固定梁に対し動かないものである。回転部品が巻線筒に対し単独に回転する時に、ストッパーが動かされて軸性揺動し、回転部品の表面から外へ突出し、かつ阻止部に当止されて、回転部品の回転を停止させる。
【０００６】
本考案の実施例において、回転部品は回転座を含み、ストッパーが係止爪を含み、係止爪の一端が軸接部であり、軸接部が回転座に軸接され、係止爪の他端に当接部が形成されている。回転座が動かされて巻線筒に対し単独に回転する時に、係止爪が回転座に動かされて、かつ係止爪の軸接部を中心に軸性揺動して、係止爪の当接部が動かされて回転座から外へ回転座の表面に突出し、当接部が阻止部に当止され、回転座の回転が停止する。
【０００７】
本考案の実施例において、巻線筒は軸孔及び開口を有し、軸孔が巻線筒内に形成され、開口が巻線筒の表面に設置され、かつ開口が軸孔に連通するとともに、係止爪に対応して配置される。回転座は軸孔に穿入し、かつ係止爪が回転座に動かされて、選択により開口に入り込み、又は開口から突出することができる。
【０００８】
本考案の実施例において、回転座は盤体を含み、係止爪の軸接部が盤体に軸接され、盤体が巻線筒の軸孔中に延びこみ、係止爪の当接部が巻線筒の開口の中に位置する。
【０００９】
本考案の実施例において、巻線筒の開口が回転座の表面に隣接し、回転部品と巻線筒が同時に同方向へ回転する時に、係止爪が前記開口に入り込み、かつ係止爪の当接部が回転座の表面に密接し（引っ付き）、回転部品が巻線筒に対し単独に回転し、かつ係止爪が回転座に動かされて開口に面した時に、係止爪が軸性揺動するとともに開口に引導され、当接部が回転座の表面から外へ突出し、かつ巻線筒の開口によって巻線筒の表面に突出し、阻止部に当止されて、回転座の回転を停止する。
【００１０】
本考案の実施例において、巻線筒は半径方向に脇口を有し、脇口の一方の側面が当止面であり、脇口が軸孔に連通し、回転座が突出ブロックを有し、突出ブロックが脇口の中に位置し、かつ突出ブロックの幅が脇口の幅より小さく、突出ブロックが脇口の当止面に当止されて、回転座と巻線筒が同時に同方向へ回転する。
【００１１】
本考案の実施例において、脇口の当止面に対向する他方の側面が制限面であり、回転座が動かされて巻線筒に対し単独に回転する時に、突出ブロックが脇口の中に当止面側から制限面側まで移動し、係止爪が回転座に動かされて軸性揺動する幅を制限する。
【００１２】
本考案の実施例において、回転座はその半径方向に沿って凹設された結合溝を有し、係止爪の軸接部が回転可能に結合溝に収容され、係止爪の軸接部が結合溝に対し単独に回転する時に、係止爪が軸接部を中心に軸性揺動し、係止爪の当接部が動かされて回転座の表面から外へ突出する。
【００１３】
本考案の実施例において、回転部品がさらに回転軸を含み、回転座が回転軸に固定され、回転軸に動かされて回転する。
【００１４】
本考案の実施例において、固定梁内に固定されて少なくとも一つの台座を有し、巻線筒が回転可能に台座上を跨いで設置され、かつ、台座が有する突出した阻止ブロックによって阻止部が形成される。
【００１５】
本考案の効果は、遮蔽部が固定梁から下へ展開される過程で障害物にあった時に、ストッパーの一端は、位置が固定されて移動しない阻止部に適時当止され、回転軸の回転を中止させて、遮蔽部の展開を中止し、昇降コードが継続して巻き出されることを防止するできることである。
【図面の簡単な説明】
【００１６】
【図１】本考案の好ましい実施例の窓用遮蔽物の立体図。
【図２】図１の正面図。
【図３】図１が示す窓用遮蔽物に含まれる巻線機構の立体図。
【図４】図３の分解図。
【図５】図３の５‐５方向の断面図。
【図６】図３の６‐６方向の断面図。
【図７】図１が示す窓用遮蔽物の展開が妨害された時の概略図。
【図８】図５に類似する断面図。
【考案を実施するための形態】
【００１７】
本考案をより明確に説明するために、以下はその好ましい実施例を用いて、図面を参照しながら詳しく説明する。図１及び図２を参照すると、本考案の好ましい実施例の窓用遮蔽物１０が示されており、当該窓用遮蔽物１０は固定梁１、遮蔽部２、第一昇降コード３、第二昇降コード４、巻線機構５及び台座６を含む。なお、固定梁１は建築物又はその窓枠に固定されるものであり、固定梁１の下方に光線を遮断するための遮蔽部２が設置され、本実施例の遮蔽部２は例えばハニカムカーテンであるが、これに限定されない。第一昇降コード３と第二昇降コード４は、一端が固定梁１内に設置された巻線機構５に接続され、他端が遮蔽部２を経由して遮蔽部２の底端２１に固定され、巻線機構５が昇降コードを巻き取り又は巻き出す時に、遮蔽部２を固定梁１の方向に上へ移動させ、又は固定梁１から下へ移動させることができるため、遮蔽部２が上へ収納され、又は遮蔽部２が下へ展開されることになる。
【００１８】
図３から図６を参照すると、巻線機構５は一つの回転部品、二つの巻線筒及び複数のストッパーを含む。本実施例において、回転部品５２は一つの回転軸５２２及び二つの回転座５２４Ａ、５２４Ｂを含み、回転軸５２２が多角形棒体であり、二つの回転座５２４Ａ、５２４Ｂが間隔を空けて回転軸５２２に同軸固定され、回転軸５２２の一端が駆動回転機構に接続され、回転軸５２２が駆動回転機構の操作制御を受けて回転すると、二つの回転座５２４Ａ、５２４Ｂを同時に回転させることができる。前記駆動回転機構は人工操作又は電動制御による構造であってもよいが、本実施例ではループ牽引式コード７の方式を用いて回転軸５２２を操作制御して回転させる目的を実現する。
【００１９】
本実施例の巻線筒をそれぞれ第一巻線筒５４及び第二巻線筒５６で示し、かつ第一巻線筒５４及び第二巻線筒５６が回転部品５２に対し回転可能にそれぞれ回転軸５２２に套設される。なお、第一巻線筒５４に第一昇降コード３の一端が接続され、第二巻線筒５６に第二昇降コード４の一端が接続され、かつ、第一昇降コード３の他端及び第二昇降コード４の他端が遮蔽部２の底端２１に接続されているため、第一巻線筒５４及び第二巻線筒５６が受動的に回転する時に、第一巻線筒５４及び第二巻線筒５６がそれぞれ第一昇降コード３及び第二昇降コード４を巻き取り又は巻き出して、遮蔽部２を平穏に上へ収納し又は下へ展開させることができる。
【００２０】
本実施例において台座６を第一台座６Ａ及び第二台座６Ｂで示し、第一台座６Ａが第一巻線筒５４に対応して設置され、第二台座６Ｂが第二巻線筒５６に対応して設置され、第一台座６Ａ及び第二台座６Ｂの構造が同じであるため、以下は第一台座６Ａを例に説明する。第一台座６Ａは基板６２と、基板６２の両側に接続されて直立した側板６４とを有し、各側板６４が凹口６４２を有し、本考案の阻止部として、基板６２の表面に設置され、かつ基板６２の表面から上へ突出した阻止ブロック６２２が示されている。
【００２１】
前記の第一巻線筒５４及び第二巻線筒５６の構造が同じであるため、以下は第一巻線筒５４を例に説明する。第一巻線筒５４は第一昇降コード３を巻き取り、又は第一昇降コード３を第一巻線筒５４から巻き出すものである。第一巻線筒５４の一方側にネック部５４１が形成され、当該ネック部５４１が第一台座６Ａの一方の側板６４の凹口６４２を跨くように設置され、第一巻線筒５４の他方側の表面に、第一昇降コード３の一端を固定するためのコード固定部５４２が設置されている。第一巻線筒５４内に、その長軸に沿って軸孔５４３が設けられ、及び、第一巻線筒５４の表面の半径方向に複数の開口５４４と脇口５４５が設置され、開口５４４と脇口５４５が間隔を空けて設置され、かつそれぞれ当該軸孔５４３に連通してもよい。なお、脇口５４５の一方の側面が当止面５４５１であり、脇口５４５の他方の側面が制限面５４５２である。
【００２２】
本実施例において、回転部品５２の回転座５２４Ａが第一巻線筒５４に対応して設置され、回転座５２４Ｂが第二巻線筒５６に対応して設置されており、二つの回転座の構造が同じであるため、以下は第一巻線筒５４に対応して設置された回転座５２４Ａを例に説明する。回転座５２４Ａの対向する両側にはそれぞれ突出軸５２４１と盤体５２４２が形成され、かつ、突出軸５２４１が第一台座６Ａの他方の側板６４の凹口６４２を跨ぐように設置され、盤体５２４２が第一巻線筒５４の軸孔５４３中に嵌入することができる。回転座５２４Ａはさらに貫通した多角形孔５２４３を有し、回転軸５２２の多角形棒体が多角形孔５２４３を穿通することで、回転座５２４Ａと第一巻線筒５４が同軸設置され、回転軸５２２が操作制御されて回転する時に、前記回転座５２４Ａを第一巻線筒５４に対し回転させることができる。本実施例の回転座５２４Ａはさらに盤体５２４２の周縁上に設置された複数の突出ブロック５２４４と結合溝５２４５を有し、突出ブロック５２４４が対応して設置された第一巻線筒５４の脇口５４５の中に位置し、かつ突出ブロック５２４４が脇口５４５の当止面５４５１に当止されて、第一巻線筒５４と同時に同方向へ回転することができる。突出ブロック５２４４の幅が脇口５４５の幅より小さく、突出ブロック５２４４は脇口５４５の幅の範囲内にのみ移動可能であり、回転座５２４が第一巻線筒５４に対し単独に回転する時に、突出ブロック５２４４が当止面５４５１から制限面５４５２まで移動し、回転座５２４Ａが第一巻線筒５４対し単独に回転する時の回転幅を制限する。また、結合溝５２４５の底部はアーチ状である。
【００２３】
本実施例において、ストッパーを係止爪５８で示し、係止爪５８の一端が円弧曲面を有する軸接部５８１であり、他端に当接部５８２が形成されている。係止爪５８は軸接部５８１によって、回転座５２４Ａ上に対応して設置された結合溝５２４５の中に嵌入し、かつ係止爪５８は回転座５２４Ａに対し軸性揺動することができる。係止爪５８の他端の当接部５８２は、第一巻線筒５４において対応して設置された開口５４４の中に位置する。
【００２４】
以上は本考案の好ましい実施例の窓用遮蔽物１０の構造説明である。図２及び図３が示すように、本実施例において、ループ牽引式コード７によって前記回転軸５２２を第一方向Ｄ１に回転させる時に、第一巻線筒５４及び第二巻線筒５６が動かされて同時に第一方向Ｄ１に回転し、第一巻線筒５４及び第二巻線筒５６がそれぞれ第一昇降コード３及び第二昇降コード４を巻き取り、これによって遮蔽部２の底端２１が上へ移動し、遮蔽部２が収納される。一方、遮蔽部２自身の重さの働きで遮蔽部２が固定梁１から下へ移動する時に、第一昇降コード３及び第二昇降コード４がそれぞれ遮蔽部２の底端２１に接続されているため、第一昇降コード３と第二昇降コード４それぞれに連動して第一巻線筒５４及び第二巻線筒５６が第二方向Ｄ２へ回転し、第一巻線筒５４及び第二巻線筒５６がそれぞれ第一昇降コード３及び第二昇降コード４を巻き出し、遮蔽部２の底端２１が下へ移動し、遮蔽部２がスムーズに展開される。なお、巻線筒が駆動されて巻き取る場合でも、又は駆動されて第一昇降コード３及び第二昇降コード４を巻き出す場合でも、回転座の突出ブロック５２４４が巻線筒の脇口５４５の中に位置するため、回転軸、回転座及び巻線筒の三者が互いに連動して同時に同方向へ回転する。本実施例の係止爪５８は、巻線筒の回転過程において、その当接部５８２が巻線筒の表面から突出しない状態を常に維持し、例えば、第一巻線筒５４の開口５４４の中に入り込むか、又は回転座の表面に張り付く（図示せず）。
【００２５】
図７及び図８が示すように、遮蔽部２が固定梁１から下へ移動する時、第一巻線筒５４及び第二巻線筒５６がそれぞれ第一昇降コード３及び第二昇降コード４に連動し、同時に同方向へ回転し、第一昇降コード３及び第二昇降コード４を同時に送り出す過程で、遮蔽部２の下へ移動する動作経路上に位置する障害物Ｓがあった場合、遮蔽部２の底端２１が障害物Ｓに接触するとともに障害物Ｓに阻まれて下への移動が停止する。図７が示す状態を例にすると、障害物Ｓは第一巻線筒５４に対応する遮蔽部２の底端２１の一方側を妨害し、この一方側に位置する遮蔽部２の底端２１が妨害を受けて第一昇降コード３を引き締めることができず、巻き出された第一昇降コード３が緩く第一巻線筒５４に巻き付き、第一昇降コード３が第一巻線筒５４を回転させることができなくなり、第一巻線筒５４の回転が停止する。この場合、第二巻線筒５６に対応する遮蔽部２の底端２１の他方側が妨害を受けていないため、遮蔽部２の底端２１が引き続き下へ移動し、第二昇降コード４によって第二巻線筒５６が引き続き回転し、第二巻線筒５６によって回転軸５２２が同時同方向に回転するため、回転軸５２２が第一巻線筒５４に対し単独に回転し、回転軸５２２に固定された回転座５２４Ａも第一巻線筒５４に対し回転し、回転座５２４Ａに軸接された係止爪５８が回転座５２４Ａの回転に連れて第一巻線筒５４の開口５４４に面した方向へ移動し、係止爪５８が移動と共に軸性揺動する。係止爪５８が軸性揺動することにより、係止爪５８の当接部５８２が第一巻線筒５４の開口５４４に導引されて開口５４４の外まで突出し、かつ当接部５８２も同時に第一巻線筒５４の表面に突出し、回転軸５２２が係止爪５８によって第一巻線筒５４を同時に回転させることができる。係止爪５８が回転座５２４Ａと共に係止爪５８の当接部５８２まで回転し、第一台座６Ａの阻止ブロック６２２に当止された時に、回転座５２４Ａの回転が停止し、同時に回転軸５２２が連動して、第一巻線筒５４及び第二巻線筒５６の回転が停止する。ここまで、第一巻線筒５４及び第二巻線筒５６の回転が完全に停止し、かつ第一昇降コード３及び第二昇降コード４の巻き出しも停止し、遮蔽部２の展開動作が自動的に中止される。
【００２６】
本考案によれば、遮蔽部が正常に展開又は収納される状態で、回転座と巻線筒が互いに連動して同時に回転する場合、回転座の結合溝が巻線筒の開口から離れており、結合溝の中に嵌入されている係止爪の軸接部も巻線筒の開口から離れて、係止爪の当接部が開口の中に入り込み、巻線筒の表面に突出しない。しかし、遮蔽部の底端が障害物に妨害され、回転座が一つの巻線筒に対し単独に回転する場合、回転座によって結合溝が巻線筒の開口方向へ移動し、結合溝が開口に近づくに連れて、結合溝中に嵌入されている係止爪の軸接部が結合溝の中に軸性回転し、軸接部の軸性回転と同時に、係止爪の当接部が巻線筒の開口に導引されて、巻線筒の表面から外へ突出する。当接部が開口に導引される時、開口の壁面によって当接部に一定の導引力が印加され、前記導引力が当接部を導引して開口をスムーズに貫通させるのみならず、前記導引力の印加方向が係止爪の軸性回転の方向と同じであるため、係止爪の軸性回転の速度を上げるとともに、当接部が開口を貫通して巻線筒の表面から突出するまで移動するのに必要な時間を短縮することができる。この設計により、遮蔽部の底端が妨害を受けた時に、係止爪はとても短い時間内に受動的に軸性回転して巻線筒の表面から突出するまで移動することが可能で、直ちに遮蔽部の妨害状態に基づいて遮蔽部の展開を中止するように反応し、窓用遮蔽物の損傷を回避する。
【００２７】
以上の実施例では二つの巻線筒にそれぞれ一本の昇降コードが配置される例を示したが、これに限定されず、遮蔽部の底端が何らの理由で傾斜した時に、回転部品の巻線筒に対する独立回転によって、ストッパーが軸性揺動し、ストッパーの一端が外へ突出し、かつ固定されて移動しない阻止部に当接して、遮蔽部の展開動作を中止できる実施例であれば、すべて本考案の趣旨範囲内に属するとする。
【００２８】
以上は本考案の好ましい実施例であり、本考案の明細書及び請求の範囲において行った等価な変更は、本考案の請求の範囲に属するとすべきである。
【符号の説明】
【００２９】
１０      窓用遮蔽物
１        固定梁
２        遮蔽部
３        第一昇降コード
４        第二昇降コード
５        巻線機構
５２      回転部品
５２２    回転軸
５２４Ａ  回転座
５２４Ｂ  回転座
５２４１  突出軸
５２４２  盤体
５２４３  多角形孔
５２４４  突出ブロック
５２４５  結合溝
５４      第一巻線筒
５４１    ネック部
５４２    コード固定部
５４３    軸孔
５４４    開口
５４５    脇口
５４５１  当止面
５４５２  制限面
５６      第二巻線筒
５８      係止爪
５８１    軸接部
５８２    当接部
６        台座
６Ａ      第一台座
６Ｂ      第二台座
６２      基板
６２２    阻止ブロック
６４      側板
６４２    凹口
７        ループ牽引式コード
Ｄ１      第一方向
Ｄ２      第二方向
Ｓ        障害物
【図１】
0003218206.tif 000003
【図２】
0003218206.tif 000004
【図３】
0003218206.tif 000005
【図４】
0003218206.tif 000006
【図５】
0003218206.tif 000007
【図６】
0003218206.tif 000008
【図７】
0003218206.tif 000009
【図８】
0003218206.tif 000010